(57)【要約】【課題】有害動物の侵入防止用の電気柵に使われる簡便な構造で取り扱いやすい複合電線、および設置と維持管理が容易でかつ設置場所を選ばず、効果的に侵入しようとする動物を撃退する、この複合電線を用いた有害動物侵入防止装置を提供すること。【解決手段】本発明は、線状あるいはテープ状の二つ以上の裸線が、それぞれが互いに電気的に絶縁されて芯材の周囲に交互に配置され、これらの二つ以上の裸線が交互にプラス極とマイナス極と接続されるものである複合電線、およびこの複合電線を用いた有害動物侵入防止装置である。プラス極とマイナス極と接続される二つ以上の裸線が、芯材の周囲に同一方向にらせん状に巻きつけたものが好ましく、さらにこの上から絶縁性の材料を反対方向にらせん状に巻きつけて固定したものがより好ましい。【選択図】        図２
2005071650.tif 000002
【特許請求の範囲】
【請求項１】
線状あるいはテープ状の二つ以上の裸線が、それぞれが互いに電気的に絶縁されて芯材の周囲に交互に配置され、これらの二つ以上の裸線が交互にプラス極とマイナス極と接続されるものである複合電線。
【請求項２】
線状あるいはテープ状の二つ以上の裸線が、それぞれが互いに電気的に絶縁されて芯材の周囲にらせん状に交互に配置されていることを特徴とする、請求項１に記載の複合電線。
【請求項３】
芯材の形状が線状またはテープ状であることを特徴とする、請求項１または２に記載の複合電線。
【請求項４】
芯材が、電気的に絶縁性の材料、または表面が電気的に絶縁された材料のいずれかであることを特徴とする、請求項１ないし３のいずれかに記載の複合電線。
【請求項５】
芯材が、中心部が金属製の材料からなり、その表面を電気的に絶縁性の材料で被覆してなる線材またはテープであることを特徴とする、請求項１ないし４のいずれかに記載の複合電線。
【請求項６】
線状またはテープ状の芯材の長手方向に、二つ以上の裸線がそれぞれ互いに電気的に絶縁された状態で、芯材の周囲に同一方向にらせん状に交互に巻きつけられ、線状またはテープ状の絶縁性の固定用材料が裸線と反対方向にらせん状に巻き付けられ、全体が固定された構造の複合電線。
【請求項７】
芯材の表面に取り付けられる裸線と絶縁性の固定用材料とが、互いに交差し、かつ交互に上下になるような位置関係で巻きつけられていることを特徴とする、請求項６に記載の複合電線。
【請求項８】
請求項１ないし７のいずれかに記載の複合電線と、この複合電線の二つ以上の裸線を交互にプラス極とマイナス極と接続した高電圧パルス電流発生電源からなる有害動物侵入防止装置。
【請求項９】
請求項１ないし６のいずれかに記載の複合電線において、二つ以上の裸線の相互の間隔が３ｍｍ以上、８０ｍｍ以下である複合電線を使用することを特徴とする、請求項８に記載の有害動物侵入防止装置。
【請求項１０】
高電圧パルス電流発生装置に接続されている二つ以上の裸線のプラス極とマイナス極間の電圧が７００Ｖ〜１２０００Ｖであり、裸線に流れているパルス電流の通電時間が５マイクロ秒〜１０００マイクロ秒であることを特徴とする、請求項８または９に記載の有害動物侵入防止装置。
【発明の詳細な説明】
【０００１】
【発明の属する技術分野】
本発明は、一本の電線の中にプラス極とマイナス極に接続する二つ以上の裸線を有する複合電線と、この複合電線を利用した、有害動物の侵入による農地や果樹園などの農作物に対する食害等を防ぐための有害動物の侵入防止装置に関する。更に詳しくは、一つの芯材を中心にしてここにプラス極とマイナス極に接続する二つ以上の裸線を組み込んだ複合電線と、電極に触れた有害動物に電気ショックによる痛みを感じさせることにより、当該動物の侵入を防ぐ有害動物の侵入防止装置に関する。
【０００２】
【従来の技術】
近年、サル、イノシシ、シカなどの動物が、農村部などで田畑や果樹園などの農作物を食い荒らし、大きな社会問題になっている。このような有害動物による食害などを防止するために、従来から種々の方法が採用されているが、その代表的なものに電気柵と呼ばれるものがある。これは高電圧の電流を流した裸線を取り付けた電気柵であり、これに触れた動物類に電気ショックによる痛みを感じさせることによって退散させる方法である。この電気柵では、支柱などによって支えられた、それぞれがプラスあるいはマイナスの電極に接続された裸線に高電圧のパルス電流を流し、これらの裸線のプラス極とマイナス極に触れた動物に電気ショックによる痛みを感じさせることによって退散させ、その侵入を防ぐものである。
【０００３】
このように電気ショックによる痛みを与えることで有害動物を退散させる方法は、痛みを感じて退散させるという効果だけではなく、たびたび痛みを受けることによる学習効果で近寄らなくなるという効果も併せ持っていること、設置と運転が容易で、コストも比較的低いことなどから最近広く利用されている。
例えば、サルの侵入を防止しようとする場合には、柵の下部に小動物の侵入を防ぐためのネットを張り、その上方に支柱によって支えられた裸線を複数本張り、それぞれの裸線を、下方から順番に一本目はマイナス電極、次の二本目はプラス電極、三本目はマイナス電極、四本目はプラス電極というように、交互に高電圧パルス電流発生装置の電極に接続している（例えば、特許文献１参照）。柵の中に侵入しようとしたサルがプラス電極と接続された裸線とマイナス極に接続された裸線を同時に握ると、サルの体内に電気が流れ、これにより電気ショックを感じて退散する。
しかし、このような高電圧パルス電流発生装置のプラス電極とマイナス電極を接続したそれぞれの裸線を交互に配置する方式は、サルが何度か電気ショックを受けるという経験を積むうちに、学習効果により、どの裸線とどの裸線をつかむと電気ショックを受けないか（例えば、一本おきにつかむと電気ショックを受けない）を覚えるようになって、やがて侵入するようになるという問題があった。
【０００４】
また、イノシシの侵入を防止しようとする場合には、イノシシの侵入を防ぐ代表的な電気柵では、３〜５ｍ間隔で農地を取り囲むように立てられたそれぞれの支柱に、２０〜３０ｃｍの間隔で、絶縁ガイシに取り付けられた２本ないし３本の裸線を平行に張り、これらを高電圧パルス電流発生装置のプラス電極に接続し、マイナス極を地面（アース）に接続する。イノシシが裸線に触れると、電気は接触部からイノシシの身体を通して足先から地面に流れ、高電圧パルス発生装置に戻っていくことによって、イノシシは電気ショックを感じて退散する。
【０００５】
しかし、このような地面（アース）を介して電気が流れ、電気ショックを与える方法では、アースとなる地面や裸線の電気的な条件によって受ける電気ショックの大きさが変わってくる。例えば、イノシシが侵入してくる側にコンクリート道やアスファルト舗装道などに沿うか、あるいは横切って電気柵を設置した場合や、裸線と下草（裸線の下部にある草類）との接触による漏電の原因になる下草の成長を抑えるために防草シートを敷設した場合などは、イノシシが裸電線に接触しても、イノシシの足先が道路上や防草シートの上にあると、コンクリート、アスファルトや防草シートは電気抵抗が高いために、足先から地面に電気が流れにくくなり、受ける電気ショックは非常に小さくなるか、ほとんど感じなくなり、侵入を阻止することができにくくなる。また、高電圧パルス電流発生装置のマイナス極と地面（アース）を接続する際に、裸線に電気を送る高電圧パルス発生装置の設置場所の近くにアース端子を埋め込む必要があるが、アース設置場所が瓦礫や乾燥地などの場合には、接地抵抗（アース抵抗）が大きくなるために、イノシシの身体を流れた電気が高電圧パルス発生装置に戻りにくくなり、受ける電気ショックが小さくなるなどの問題がでてくる。このように、電気柵や高電圧パルス発生装置を設置する場所に制限が出てきたり、漏電を防ぐために頻繁に下草を刈る必要があるという問題があった。
【０００６】
【特許文献１】
特許第２６１９２０９号公報
【０００７】
【発明が解決しようとする課題】
したがって本発明は、以上のような従来の方法の問題点を踏まえて、これらの課題を解決した、有害動物の侵入防止用の電気柵に使われる簡便な構造で取り扱いやすい複合電線、および有害動物の学習効果にも対応でき、かつ設置場所を選ばずに侵入しようとする動物に電気ショックを与えることで退散させることを可能にした有害動物侵入防止装置を提供することを目的とするものである。
【０００８】
【課題を解決するための手段】
本発明者らは、このような課題を解決すべく鋭意研究を重ねた結果、複数の裸線がそれぞれプラス極あるいはマイナス極として独立して作用するように構成された従来の裸線に代えて、プラス極およびマイナス極にそれぞれ接続される二つ以上の裸線をそれぞれが互いに十分に電気的に絶縁された状態で一つの芯材に組み込んだ一本の複合電線とし、この電線に高電圧パルス電流発生装置を接続することによって、これらの課題を解決することができることを見出し、本発明を完成した。
【０００９】
即ち、本発明は、以下の内容をその要旨とするものである。
（１）線状あるいはテープ状の二つ以上の裸線が、それぞれが互いに電気的に絶縁されて芯材の周囲に交互に配置され、これらの二つ以上の裸線が交互にプラス極とマイナス極と接続されるものである複合電線。
（２）線状あるいはテープ状の二つ以上の裸線が、それぞれが互いに電気的に絶縁されて芯材の周囲にらせん状に交互に配置されていることを特徴とする、前記（１）に記載の複合電線。
（３）芯材の形状が線状またはテープ状であることを特徴とする、前記（１）または（２）に記載の複合電線。
（４）芯材が、電気的に絶縁性の材料、または表面が電気的に絶縁された材料のいずれかであることを特徴とする、前記（１）ないし（３）のいずれかに記載の複合電線。
（５）芯材が、中心部が金属製の材料からなり、その表面を電気的に絶縁性の材料で被覆してなる線材またはテープであることを特徴とする、前記（１）ないし（４）のいずれかに記載の複合電線。
（６）線状またはテープ状の芯材の長手方向に、二つ以上の裸線がそれぞれ互いに電気的に絶縁された状態で、芯材の周囲に同一方向にらせん状に交互に巻きつけられ、線状またはテープ状の絶縁性の固定用材料が裸線と反対方向にらせん状に巻き付けられ、全体が固定された構造の複合電線。
（７）芯材の表面に取り付けられる裸線と絶縁性の固定用材料とが、互いに交差し、かつ交互に上下になるような位置関係で巻きつけられていることを特徴とする、前記（６）に記載の複合電線。
（８）前記（１）ないし（７）のいずれかに記載の複合電線と、この複合電線の二つ以上の裸線を交互にプラス極とマイナス極と接続した高電圧パルス電流発生電源からなる有害動物侵入防止装置。
（９）前記（１）ないし（６）のいずれかに記載の複合電線において、二つ以上の裸線の相互の間隔が３ｍｍ以上、８０ｍｍ以下である複合電線を使用することを特徴とする、前記（８）に記載の有害動物侵入防止装置。
（１０）高電圧パルス電流発生装置に接続されている二つ以上の裸線のプラス極とマイナス極間の電圧が７００Ｖ〜１２０００Ｖであり、裸線に流れているパルス電流の通電時間が５マイクロ秒〜１０００マイクロ秒であることを特徴とする、前記（８）または（９）に記載の有害動物侵入防止装置。
【００１０】
【発明の実施の形態】
本発明は、一つの芯材、好ましくは線状又はテープ状の芯材の周囲に、交互にプラス極とマイナス極につながる二つ以上の裸線を配置した複合電線、並びにこの複合電線とその二つ以上の裸線を交互にプラス極とマイナス極と接続した高電圧パルス電流発生電源とからなる有害動物侵入防止装置である。更に具体的には、このような複合電線を電気柵の柵線とし、これらの柵線の裸線をそれぞれ高電圧パルス電流発生電源のプラス極とマイナス極に接続した有害動物侵入防止装置である。
【００１１】
以下、図面を用いて本発明を更に詳しく説明する。
図１及び図２は本発明の複合電線の構造の一例を示す説明図であり、図３は本発明の複合電線の一例の部分拡大図である。本発明の複合電線１は芯材２に二つ以上の裸線３および４を配置した構造のものである。芯材２は種々の形状のものが可能であるが、一般的には線状またはテープ状のものであって、裸線と電気的に絶縁するために、少なくとも芯材２の表面が電気的に絶縁性の材料からなっていることが好ましい。芯材２の電気絶縁材料として使用できる材料としては、例えば、ポリエチレン、ポリプロピレン、塩化ビニルなどの合成樹脂製、または天然ゴム若しくは合成ゴムなどが好ましい。芯材２は上記電気絶縁材料、あるいはこれらを組み合わせたものからなる線状、またはテープ状のものが好ましいが、強度が必要な場合には、中心部にステンレススチール線などの金属線を備え、その表面に上記電気絶縁性材料の少なくとも一つを被覆して裸線と電気的に絶縁したものでもよい。
【００１２】
この芯材２の周囲に二つ以上の裸線を互いに電気的に絶縁された状態で配置すればよい。二つ以上の裸線３および４を配置する方法は特に制限されるものではなく、互いに電気的に絶縁された状態で芯材に固定できる方法であればよいが、図１に示すように電気的に絶縁性の芯材２の周囲に二つ以上の裸線３と４を互いに一定の間隔を保って同じ方向にらせん状に巻きつける方法が好ましい。図１には二つの裸線を巻きつけた例を示しているが、裸線は二つ以上で複数本であればよく、この場合は複数の裸線を交互にプラス極とマイナス極につなぐようにして使用する。
【００１３】
芯材２の周囲に配置した裸線は芯材に対して固定される必要がある。裸線を固定する方法も特に制限されるものではなく、互いに電気的に絶縁された状態で固定できる方法であればよい。例えば、一定間隔でひも状の材料で縛ったり、リング状の絶縁性の固定具で固定したり、接着剤で固着してもよいが、図２に示すように、芯材２の周囲に同一方向にらせん状に交互に巻きつけられた二つ以上の裸線３と４の上から、線状またはテープ状の絶縁性の固定用材料５−１、５−２を裸線と反対方向にらせん状に巻き付けて固定することが好ましい。
更に好ましくは、図３に示すように、芯材２の表面に取り付けられる裸線３，４と絶縁性の固定用材料５−１，５−２とが、互いに反対方向にらせん状に巻きつけられ、互いに交差し、かつ、両者が交互に上下になるような位置関係で、芯材２に対して巻きつけられている構造の複合電線である。
このようにして裸線３と４を芯材２に固定することによって、相互の電気絶縁性を維持しながら、かつ二つ以上の裸線３と４が芯材２と一体となって固定され、一本の複合電線を構成する。
【００１４】
従来から使用されている電線やケーブルには、上記の複合電線に類似した構造を有するものも存在する。例えば、電気絶縁性の芯材の周りに多数の導電性の電線をらせん状に巻きつけ、この上から電気絶縁性の材料で被覆した構造の電線が知られている。しかしながら、このタイプの電線は、内部に巻きつけた多数の電線が互いに絶縁されておらず、あくまでも一種類の電流を通電する全体で一つの電線であり、またその表面も電気絶縁材料で被覆されているものである。
これに対して、本発明の複合電線は、二つ以上の裸線が互いに電気的に絶縁されており、二つ以上の異なった種類の電気の通電、たとえばプラスとマイナス、或いは電圧の異なった二つ以上の電流の通電などに使用することができるものである。更に、本発明の複合電線は、二つ以上の裸電線の一部又は全部が表面に露出しており、表面が完全に絶縁材料で被覆された従来公知の上記のような電線とはその構造も機能も全く異なるものである。
【００１５】
また、本発明は、このような二つ以上の裸線を有する複合電線を電気柵の柵線とし、この複合電線の裸線をそれぞれ高電圧パルス電流発生電源（図示せず）のプラス極とマイナス極に接続した有害動物侵入防止装置である。例えば、本発明の有害動物侵入防止装置は、農地を取り囲むように設置された支柱の下部に小動物の侵入を防ぐためにネットを張り、その上部に本発明の複合電線を、絶縁ガイシを介して地面と平行に数本張る構成か、あるいは同じく農地を取り囲むように設置された支柱に複合電線を約１０〜２０ｃｍ程度の間隔で複数段程度張る構成にし、いずれの場合にも、この複合電線の裸線をそれぞれ高圧コードを介して高電圧パルス発生装置のプラス電極およびマイナス電極に接続して構成される。このような電気柵の構成は、農地の立地条件、侵入動物の種類などによって最も防止効果が期待できるものを選択すればよい。
【００１６】
本発明の有害動物侵入防止装置は、その使用目的と十分な電気絶縁性を得るために、複合電線の二つ以上の裸線の相互の間隔が３ｍｍ以上、８０ｍｍ以下であり、好ましくは５ｍｍ以上、５０ｍｍ以下である。３ｍｍ未満では使用状況によっては裸線が互いに接近し、高電圧がかかった場合に絶縁性が不良となる恐れがある。また、８０ｍｍを超える場合には、サル、イノシシなどの動物がプラス極とマイナス極の二つの極に同時に触れる確率が著しく低下するために好ましくない。
高電圧パルス電流発生装置に接続されている二つ以上の裸線のプラス極とマイナス極間の電圧は、７００Ｖ〜１２０００Ｖであり、好ましくは２０００Ｖ〜１００００Ｖである。高電圧パルス電流発生電源に接続されている二つ以上の裸線に流れているパルス電流の通電時間は、５マイクロ秒〜１０００マイクロ秒であり、好ましくは１０マイクロ秒〜５００マイクロ秒である。電圧が７００Ｖ未満、あるいは通電時間が５マイクロ秒未満では、裸線に触れた動物が受ける電気ショックが小さくなり、追払い効果は著しく減じられるので好ましくない。一方、電圧が１２０００Ｖ、あるいは通電時間が１０００マイクロ秒を超えると、電気ショックが非常に大きくなるために、安全上の問題が発生する可能性が出てくるので好ましくない。
【００１７】
また、このようにして得られた複合電線は、その表面にプラスとマイナスの電圧のかかった裸線が露出しているので、動物が裸線のプラス極とマイナス極に触れると、例えば、サルが複合電線を掴んだり、イノシシの鼻が複合電線に触れたりすると、これらの動物の体内に電流が流れるため、電気的なショックを与え、動物類の追い払いに使用することができる。また、これは１本の電線でプラスとマイナスの極を有しており、かつ一体化した１本の線材として取り扱うことができるため、従来のプラス用とマイナス用としてそれぞれ別の電線を用いた場合に比べて、その取り扱いが極めて簡単であり、施工およびその後の維持管理が容易に行なえるという大きなメリットを有する。
【００１８】
また、本発明の複合電線は、上記のような獣類の撃退用だけでなく、例えば、カラス、鳩、ムクドリ、ヒヨドリなどの鳥類に対しても有効である。即ち、このような鳥が飛来し、食害や糞害などの問題が生じている場所に、この複合電線を取り付け、高電圧のパルス電流を流すことによって、この複合電線にとまった鳥に電気ショックを与え、効果的にかつ容易に追い払うことができる。複合電線にとまった鳥の足裏にあるふくろ部がプラス極に接続された裸線とマイナス極に接続された裸線に接触し、鳥の体内に電気が流れることによって電気ショックを感じる。
【００１９】
【実施例】
次に実施例によって本発明を更に説明するが、これは代表的な例を示すものであり、本発明はこの実施例に何ら限定されるものではない。
実施例１：
図２に示すように、直径５ｍｍ、長さ４０ｍの塩化ビニル製の線を芯材２とし、この塩化ビニル製の線材２の表面に、まず２本の直径０．２ｍｍのステンレススチール製の裸線３，４と、電気的に絶縁性の材料である直径０．２ｍｍのナイロン製の線材５−１，５−２の２本を、ステンレススチール線とナイロン線がお互いに逆方向になるように交差させながららせん状に、ステンレススチール線３，４と２本のナイロン線５−１，５−２を図３に示すように交互に上下になるように芯材２にまきつけ、その両端を固定した複合電線１を作製した。２本の裸線であるステンレススチール線同士の間隔、および２本のナイロン線同士の間隔はそれぞれ約１０ｍｍとなるようにした。ステンレススチール線３，４と２本のナイロン線５−１，５−２は交差する毎に上下関係を変えるように巻き付けてお互いを押え込むことによってそれぞれの線材を固定した。同様の方法で、このような複合電線を総長約４００ｍ作製した。
次に、山の斜面にある周囲が約１００ｍのナシ園に、その周囲に約４ｍ間隔で高さ２ｍの支柱を埋設し、その下部に高さが約１．２ｍのネットを張り、その上部に碍子を介して上記で作製した複合電線４本を約２０ｃｍ間隔で取り付け、これらのそれぞれの複合電線の一つの裸線３を高電圧パルス電流発生装置（図示せず）のプラス極に接続し、他の裸線４を高電圧パルス電流発生装置のマイナス極に接続して本発明の有害動物侵入防止装置を設置した。
【００２０】
まず、このナシ園で、本発明の有害動物侵入防止装置にパルス電流を通電せずに３日間放置し、猿の侵入と食害の程度を観察した。その結果、この間に猿の侵入が起こり、中のナシが２０個ほど食害された。その後、有害動物侵入防止装置に高電圧のパルス電流を通電した。このとき複合電線のプラス極とマイナス極間に印加されている電圧は約４０００Ｖであり、パルス電流の通電時間は約５０マイクロ秒であった。この状態で６週間、同じく猿の侵入と食害を観察した。昼間、侵入を試みた猿が複合電線を掴んだ途端、電気ショックを受けてびっくりして逃げていく様子が何度か観察された。猿の侵入した形跡は全く観察されず、ナシの食害も全く見られなかった。
【００２１】
実施例２：
周囲長１５０ｍの稲田を取り囲むように、実施例１と同様の方法で作製した合計長３００ｍの複合電線を２段に張り巡らした。この稲田は、すでに裸線を２段に張り、これに高電圧パルス電流発生装置のプラス極を接続し、高電圧パルス電流発生装置のマイナス極をアースと接続する従来の電気柵システムでイノシシの追払いを行ってきたが、これまでに何度かイノシシが侵入した形跡が認められ、被害も受けていた。これは、電気柵を設置している稲田付近の地質が石、砂などを多く含み、かつ乾燥地質であるために、アース抵抗が大きく、裸線に触れたイノシシに十分な電気ショックを与えることができない場合があったためと考えられる。そこで、従来の裸線に替え、本発明による複合電線を張り巡らすことにした。複合電線は直径１．４ｍｍのステンレススチール線の周囲に厚さ０．８ｍｍのポリプロピレン製の絶縁材を被覆した直径３ｍｍの線を芯材とし、この芯材の表面に２本の直径０．１５ｍｍのステンレススチール製の裸線と、直径０．２ｍｍのナイロン製の線２本を実施例１と同様の方法で巻き付けて作製した。裸線同士およびナイロン線同士のそれぞれの間隔は約６ｍｍ、隣り合う裸線とナイロン線の間隔は約３ｍｍにした。複合電線は、地面より約２０ｃｍの高さに１段目、その上方約２０ｃｍの高さに２段目を、絶縁性樹脂で構成された支柱に付属している電線取り付け部に引っ掛ける方法で張った。この複合電線の１本の裸線と高電圧パルス電流発生装置６のプラス極を接続し、他の裸線を高電圧パルス電流発生装置のマイナス極に接続して本発明の有害動物侵入防止装置を設置した。
【００２２】
次に、本発明の有害動物侵入防止装置に高電圧のパルス電流を通電した。このとき複合電線のプラス極とマイナス極間に印加されている電圧は約３０００Ｖであり、パルス電流の通電時間は約１００マイクロ秒であった。イノシシの侵入と被害の様子を観察した。夜間、稲田にやってきたイノシシは、鼻の部分が複合電線に触れた途端、電気ショックを受けてびっくりして逃げていく様子が何度か観察された。イノシシの侵入した形跡は全く観察されず、被害を受けた様子も全く見られなかった。
【００２３】
実施例３：
直径１０ｍｍ、長さ２５ｍのポリエチレン製の線材の表面に、幅２ｍｍ、厚さ０．０１ｍｍのステンレススチール製のテープを同方向にらせん状に巻き付け、ステンレススチールテープの裏面に予め塗布しておいた接着剤によって、ポリエチレン線の表面に貼り付けて、総長２００ｍの複合電線を作製した。この複合電線を、１辺が約３０ｍの矩形のナシ園の中央に１本、各辺にそれぞれ３本の約３ｍの高さの支柱を立て、中央の支柱の先端から、それぞれの辺に立てた支柱の先端に向かって、傘の骨のように張り、それぞれの複合電線の一つの裸線を高電圧パルス電流発生装置のプラス極に接続し、他の裸線を高電圧パルス電流発生装置のマイナス極に接続して本発明の有害動物侵入防止装置を設置した。最初の１週間、本発明の有害動物侵入防止装置にパルス電流を通電せず、ムクドリ、ヒヨドリの飛来と食害・糞害の程度を観察した。その結果、この間にヒヨドリ、ムクドリは毎日３０羽以上飛来し、通電していない複合電線に留まるのが観察された。また、ナシが４０個ほど突つかれて食害にあい、糞も１０ヵ所以上に落ちていることが確認された。その後、有害動物侵入防止装置に高電圧のパルス電流を通電した。このとき複合電線のプラス極とマイナス極間に印加されている電圧は約３０００Ｖであり、パルス電流の通電時間は約１５マイクロ秒であった。この状態で６週間、同じくムクドリ、ヒヨドリの飛来と食害・糞害を観察した。早朝、飛来したムクドリ、ヒヨドリが複合電線に留まった途端、電気ショックを受け、飛び去っていく様子が何度か観察された。そのうちにムクドリ、ヒヨドリの飛来する数は数羽程度になり、ナシの食害や糞害もほとんど見られなくなった。
【００２４】
【発明の効果】
本発明の複合電線および有害動物侵入防止装置を用いれば、１本の電線にプラスとマイナスの裸線が組み込まれているため、従来の電気柵のようにプラスの裸線とマイナスの裸線を別々に取り付ける必要がなく、極めてその取り扱い簡便でかつ従来よりも侵入を防止する効果が大きく、有害動物侵入防止装置の設置や維持管理が容易に行なうことができる。
【図面の簡単な説明】
【図１】本発明の複合電線の一例を示す説明図である。
【図２】本発明の複合電線の他の一例を示す説明図である。
【図３】本発明の複合電線の部分拡大図である。
【符号の説明】
１  複合電線
２  芯材
３  プラス用裸線
４  マイナス用裸線
５−１  固定用材料
５−２  固定用材料
【図１】
2005071650.tif 000003
【図２】
2005071650.tif 000004
【図３】
2005071650.tif 000005